(57)【要約】【課題】  ユーザの体勢に適応したスピーカからの音の出力を行う電子機器を提供することを目的とする。【解決手段】  チャネルセレクタは、オーディオＤＡＣで生成された２つのアナログ音声信号の夫々が、スピーカの左チャネル又は右チャネルのどちらに入力するかを選択する。リモコン等から送信される出力切替え要求の内容に基いて、第１のスイッチｓｗ１及び第２のスイッチｓｗ２を制御し、例えば、第１の入力信号線１１０ａを介して入力される主音声のアナログ音声信号、及び第２の入力信号線１１０ｂを介して入力される副音声のアナログ音声信号の夫々を、第１の出力信号線１１８ａを介してスピーカの左チャネルから出力し、第２の出力信号線１１８ｂを介してスピーカの右チャネルから出力させる。【選択図】  図２
2005110046.tif 000002
【特許請求の範囲】
【請求項１】
第1のチャネル及び第２のチャネルから音を出力するスピーカを具備する電子機器において、
放送データを受信する受信部と、
前記受信部で受信された放送データから第１のアナログ音声信号と第２のアナログ音声信号とを抽出するデコーダと、
前記第1のアナログ音声信号及び前記第２のアナログ音声信号の夫々を増幅することで生成される夫々の音が出力されるチャネルを、前記第1のチャネル又は前記第２のチャネルの中から選択するチャネル選択部と、
を具備することを特徴とする電子機器。
【請求項２】
前記放送データは、２ヶ国語放送データであり、
前記２ヶ国語放送データから抽出される２種類のアナログ音声信号の内容は、
主音声および副音声であることを特徴とする請求項１記載の電子機器。
【請求項３】
前記第１のチャネルは左チャネルであるとともに、前記主音声を示すアナログ音声信号を増幅することで生成された音が出力され、
前記第２のチャネルは右チャネルであるとともに、前記副音声を示すアナログ音声信号を増幅することで生成された音が出力されることを特徴とする請求項２記載の電子機器。
【請求項４】
第１のチャネル及び第２のチャネルから音を出力するスピーカを具備する電子機器において、
放送データを受信する受信部と、
前記受信部で受信された放送データから第１のデジタル音声信号と第２のデジタル音声信号とを抽出するデコーダと、
前記デコーダで抽出された前記第１のデジタル音声信号と前記第２のデジタル音声信号の送信される順番を入れ替えることが可能なフォーマット変換部と、
を具備することを特徴とする電子機器。
【請求項５】
前記放送データは、２ヶ国語放送データであり。
前記２ヶ国語放送データから抽出される２種類のデジタル音声信号の内容は、
主音声および副音声であることを特徴とする請求項４記載の電子機器。
【請求項６】
前記第１のチャネルは左チャネルであるとともに、前記主音声を示すデジタル音声信号に基く音が出力され、
前記第２のチャネルは右チャネルであるとともに、前記副音声を示すデジタル音声信号に基く音が出力されることを特徴とする請求項５記載の電子機器。
【発明の詳細な説明】
【技術分野】
【０００１】
本発明は、音声多重放送に関し、特に、音声多重放送の音声出力に関する。
【背景技術】
【０００２】
従来、テレビの音声多重放送で使用される例えば２ヶ国語の出力の仕方として３つの方法があった。この３つの方法とは以下に説明する方法である。第１の方法はスピーカの左チャネル及び右チャネルから主音声を出力する方法、第２の方法はスピーカの左チャネル及び右チャネルから副音声を出力する方法、第３の方法はスピーカの左チャネルから主音声を出力しスピーカの右チャネルから副音声を出力する方法である。ユーザは、この３つの方法の中から何れか一つを選択し、選択された方法によって出力される音声を聴いていた。
【０００３】
従ってテレビの２ヶ国語放送において、主音声として日本語、副音声として英語が放送されている場合、上述した第３の方法を使用して２ヶ国語の出力を行うと、スピーカの左チャネルから日本語が出力されスピーカの右チャネルから英語が出力されることになる。２ヶ国語放送に関する発明として、次に示す特許文献があった（特許文献１参照。）。
【特許文献１】特開平９−５５９０２号公報（第２頁、第１図）
【発明の開示】
【発明が解決しようとする課題】
【０００４】
さて、上述した背景技術において説明した第３の方法では、スピーカの左チャネルから出力される言語が主音声、右チャネルから出力される言語が副音声と固定されているので、この第３の方法を頻繁に使用するユーザは、左チャネルから出力される主音声を主に左耳を使って聴き、右チャネルから出力される副音声を主に右耳を使って聴くようになる。
【０００５】
しかし、通常のテレビ視聴時における体勢、つまりユーザの顔とテレビ画面とが対向に位置している場合とは異なり、例えば、仰向けに寝ている場合、左チャネルから出力される主音声を主に右耳で聴き、右チャネルから出力される副音声を主に左耳で聴くことになる。このように、通常のテレビ試聴時における体勢と異なる姿勢で音声を聴く場合、以下に説明する問題点を具備する。
【０００６】
ユーザが英語学習を目的として上述で説明した第３の方法を使用して２ヶ国語の放送を聴いている場合、通常のテレビ視聴時における体勢で２ヶ国語の放送を聴いている場合は、スピーカの右チャネルから出力される英語を集中して聴き、スピーカの左チャネルから出力される日本語を補助的に聴くことになる。しかし、仰向けに寝た体勢で２ヶ国語の放送を聴いている場合、スピーカの右チャネルから出力される英語を左耳で聴き、スピーカの左チャネルから出力される日本語を右耳で聴くことになるので、通常のテレビ視聴時における体勢で２ヶ国語の放送を聴く場合と比較して聴き辛く、英語の学習効果があがり難いという問題点があった。この問題点を解消するための方法として、例えば、移動可能な外部スピーカを使用しこの外部スピーカの置く位置を通常時と逆にする、または、外部アンプを使用し配線を通常時と逆にする、といった方法が考えられるが、新たにコストが発生する等といった問題が生じる。
【０００７】
そこで、本発明は、ユーザの体勢に適応した音の出力を行う電子機器を提供する。
【課題を解決するための手段】
【０００８】
上記目的を達成するために、請求項１に係る発明では、第1のチャネル及び第２のチャネルから音を出力するスピーカを具備する電子機器において、放送データを受信する受信部と、受信部で受信された放送データから第１のアナログ音声信号と第２のアナログ音声信号とを抽出するデコーダと、第1のアナログ音声信号及び第２のアナログ音声信号の夫々を増幅することで生成される夫々の音が出力されるチャネルを、第1のチャネル又は第２のチャネルの中から選択するチャネル選択部とを具備することを特徴とする。
【０００９】
また、請求項３に係る発明では、第１のチャネル及び第２のチャネルから音を出力するスピーカを具備する電子機器において、放送データを受信する受信部と、受信部で受信された放送データから第１のデジタル音声信号と第２のデジタル音声信号とを抽出するデコーダと、デジタル音声デコーダで抽出された第１のデジタル音声信号と第２のデジタル音声信号のフォーマットをパラレル形式からシリアル形式へと変換するフォーマット変換部とを具備することを特徴とする。
【発明の効果】
【００１０】
本発明によれば、ユーザの体勢に適応した音の出力を行うことが可能となる。
【発明を実施するための最良の形態】
【００１１】
以下本発明に係る実施の形態を、図面を参照して説明する。
【００１２】
図１には、本発明に係る録画再生ビデオ装置のハードウェアブロック図の第１の例が示されている。
【００１３】
録画再生ビデオ装置１は、ＡＶ部１０とシステム部１１とを備えている。ＡＶ部１０は、ＴＶチューナ１０１、ＮＴＳＣデコーダ１０２、音声多重デコーダ１０３、オーディオＡＤＣ１０４、ＭＰＥＧエンコーダ１０５、ストリーム制御部１０６、ＭＰＥＧデコーダ１０７、ＮＴＳＣエンコーダ１０８、ビデオアンプ１０９、オーディオＤＡＣ１１０、オーディオアンプ１１１を備えており、ＰＣＩインターフェイス１１２を介してシステム部１１と接続されている。
【００１４】
ＴＶチューナ１０１は、例えばリモコンユニットから受信要求されたチャネルの放送番組データに係る周波数を選択し、復調処理を行った後、映像信号と音声信号とに分離するデバイスである。ＮＴＳＣデコーダ１０２は、ＴＶチューナ１０１から出力されるＮＴＳＣ規格に準じた映像信号（ＮＴＳＣ信号）をデジタル信号に変換する。
【００１５】
一方、音声多重デコーダ１０３は、ＴＶチューナ１０１から出力される音声信号に含まれるサブキャリア信号を検出し、音声多重復調を行うことで、アナログ音声信号を取り出すデバイスである。音声多重デコーダ１０３において取り出されるアナログ音声信号とは、二ヶ国語対応のアナログ音声信号、ステレオ放送対応のアナログ音声信号、又はモノラル放送対応のアナログ音声信号である。二ヶ国語対応のアナログ音声信号は、主音声及び副音声のアナログ音声信号から構成される。音声多重デコーダ１０３において取り出されるアナログ音声信号は、オーディオＡＤＣ１０４にてデジタル音声信号に変換する。主音声及び副音声のアナログ音声信号で構成される二ヶ国語対応のアナログ音声信号は、一つのデジタル音声信号に変換される。
【００１６】
ＭＰＥＧエンコーダ１０５は、ＮＴＳＣデコーダ１０２で変換されたデジタル映像信号とオーディオＡＤＣ１０４で変換されたデジタル音声信号との間で同期をとり、これらのデジタル信号をＭＰＥＧ方式に従って符号圧縮化を行うことで、ストリームファイルを作成する。ストリーム制御部１０６は、ＭＰＥＧエンコーダ１０５で作成されたストリームデータを一時的に蓄え、後述で説明するハードディスク（ＨＤＤ）１１６へ送信する。または、ストリーム制御部１０６は、ハードディスク１１６に記憶されているストリームファイルを受信することで一時的に蓄え、後述で説明するＭＰＥＧデコーダ１０７へストリームデータとして送信する。
【００１７】
ＭＰＥＧデコーダ１０７は、ストリーム制御部１０６から送信されるストリームデータを受信し、ＭＰＥＧ方式に従って符号圧縮化されたデータからデジタル映像信号とデジタル音声信号とを生成する。
【００１８】
ＮＴＳＣエンコーダ１０８は、ＭＰＥＧデコーダ１０７から出力されるデジタル映像信号をＮＴＳＣ規格に準じたアナログ映像信号に変換する。ビデオアンプ１０９は、ＮＴＳＣエンコーダ１０８から出力されるアナログ映像信号を増幅し、ビデオ信号として出力する。
【００１９】
一方、オーディオＤＡＣ１１０は、ＭＰＥＧデコーダ１０７から出力されるデジタル音声信号を２つのアナログ音声信号へ変換する。ＭＰＥＧデコーダ１０７から出力されるデジタル音声信号が二ヶ国語対応のデジタル音声信号である場合、主音声及び副音声のアナログ音声信号に変換される。そして、オーディオＤＡＣ１１０は、例えば主音声のアナログ音声信号を第１の入力信号線１１０ａに出力し、副音声のアナログ音声信号を第２の入力信号線１１０ｂに出力する。
【００２０】
後述で詳細に説明するチャネルセレクタ１１８は、オーディオＤＡＣ１１０で生成された２つのアナログ音声信号の夫々が、スピーカの左チャネル又は右チャネルのどちらに入力するかを選択する。チャネルセレクタ１１８には、オーディオＤＡＣ１１０から出力される２つのアナログ信号が、第１の入力信号線１１０ａ及び第２の入力信号線１１０ｂを介して入力され、さらに該入力された信号は、第１の出力信号線１１８ａと第２の出力信号線１１８ｂとを介して出力される。
【００２１】
オーディオＡＭＰ１１１には、チャネルセレクタ１１８から第１の出力信号線１１８ａ及び第２の出力信号線１１８ｂを介して、２つのアナログ音声信号が入力され、これらのアナログ音声信号を増幅する。そして、オーディオＡＭＰ１１１は、これらの増幅されたアナログ音声信号を、第３の出力信号線１１１ａを介してスピーカの左チャネルに出力し、第４の出力信号線１１１ｂを介してスピーカの右チャネルに出力する。
【００２２】
システム部１１は、ＣＰＵ１１３、メインメモリ１１４、表示装置１１５、ＨＤＤ１１６、Ｉ／Ｏコントローラ１１７、チャネルセレクタ１１８、リモコンコントローラ１１９、入力装置１２１を備えている。前述で説明したＰＣＩインターフェイス１１２に接続されているバス１２２に、ＣＰＵ１１３、メインメモリ１１４、表示装置１１５、ＨＤＤ１１６及びＩ／Ｏコントローラ１１７が接続されている。
【００２３】
ＣＰＵ１１３は、録画再生ビデオ装置１全体の制御、及びデータの演算等を行なう。メインメモリ１１４は、ＯＳ（Ｏｐｅｒａｔｉｎｇ  Ｓｙｓｔｅｍ）、デバイスドライバ、実行対象のアプリケーションプログラム及び処理データ等が格納される。表示装置１１５には、録画再生ビデオ装置１の制御内容等が表示される。ＨＤＤ１１６には、ＯＳ、デバイスドライバ、実行対象のアプリケーションプログラム、例えば前述で説明したＭＰＥＧエンコーダ１０５で作成されるストリームデータを初めとするデータ等が記憶されている。これら記憶されている情報は、適時メインメモリ１３に転送される。
【００２４】
Ｉ／Ｏコントローラ１１７は、チャネルセレクタ１１８、リモコンコントローラ１１９及び入力装置１２１を制御する。チャネルセレクタ１１８は、前述したとおり、２つのアナログ音声信号の夫々を、スピーカの左チャネル又は右チャネルのどちらから出力するかを選択する。リモコンコントローラ１１９は、リモコンユニット１２０から送信される例えば放送番組録画開始要求等を受信し、Ｉ／Ｏコントローラ１１７を介してＡＶ部１０を制御する。入力装置１２１は、例えば放送番組録画開始ボタン等であり、入力装置１２１から入力された制御内容等は、Ｉ／Ｏコントローラ１１７を介して、ＡＶ部１０を制御する。
【００２５】
図２には、チャネルセレクタ１１８の回路構成の一例が示されている。図３には、二ヶ国語対応の放送を受信した場合におけるチャネルセレクタ１１８のチャネル制御内容を示すテーブルである。図２及び図３を用いて、チャネルセレクタ１１８で実行される制御内容を説明する。
【００２６】
チャネルセレクタ１１８は、図２に示すとおり、第１の入力信号線１１０ａ、第２の入力信号線１１０ｂ、第１の出力信号線１１８ａ、第２の出力信号線１１８ｂ、第１のスイッチｓｗ１及び第２のスイッチｓｗ２とから構成される。第１の入力信号線１１０ａは、第１のスイッチｓｗ１と接続される端部Ａ、及び第２のスイッチｓｗ２と接続される端部Ａを具備し、第２の入力信号線１１０ｂは、第１のスイッチｓｗ１と接続される端部Ｂ、及び第２のスイッチｓｗ２と接続される端部Ｂを具備する。
【００２７】
チャネルセレクタ１１８は、オーディオＤＡＣ１１０で生成された２つのアナログ音声信号の夫々が、スピーカの左チャネル又は右チャネルのどちらに入力するかを選択する。チャネルセレクタ１１８には、オーディオＤＡＣ１１０から出力される２つのアナログ音声信号が、第１の入力信号線１１０ａ及び第２の入力信号線１１０ｂを介して入力される。例えば、ＴＶチューナ１０１が二ヶ国語対応の放送を受信した場合、オーディオＤＡＣ１１０から主音声のアナログ音声信号が第１の入力信号線１１０ａに出力され、副音声のアナログ音声信号が第２の入力信号線１１０ｂに出力される。
【００２８】
第１の入力信号線１１０ａ及び第２の入力信号線１１０ｂと第１の出力信号線１１８ａ及び第２の出力信号線１１８ｂとは第１のスイッチｓｗ１及び第２のスイッチｓｗ２とで接続される。この第１のスイッチｓｗ１及び第２のスイッチｓｗ２の切替え動作は、リモコン１２０又は入力装置１２１から送信された二ヶ国語放送出力切替え要求に基いて、Ｉ／Ｏコントローラ１１７が実行する。
【００２９】
図３を用いて、Ｉ／Ｏコントローラ１１７によって実行される第１のスイッチｓｗ１及び第２のスイッチｓｗ２の切替え制御内容を説明する。
【００３０】
図３に示すとおり、チャネル制御テーブルには、スピーカからの［出力モード］毎に、第１のスイッチ［ｓｗ１の状態］及び第２のスイッチ［ｓｗ２の状態］に関する内容が格納される。リモコン１２０又は入力装置１２１から送信された二ヶ国語放送出力切替え要求の内容に基いて、Ｉ／Ｏコントローラ１１７は、このテーブルにおいてスピーカからの［出力モード］に対応する［ｓｗ１の状態］［ｓｗ２の状態］を参照し、第１のスイッチｓｗ１及び第２のスイッチｓｗ２を制御する。
【００３１】
リモコン１２０又は入力装置１２１から送信された二ヶ国語放送出力切替え要求の内容が、主音声出力要求であったとする。すると、Ｉ／Ｏコントローラ１１７は、このテーブルにおいてスピーカからの［出力モード］の内容が「主音声モード」に対応する［ｓｗ１の状態］［ｓｗ２の状態］を参照し、第１のスイッチｓｗ１及び第２のスイッチｓｗ２を制御する。この場合、図３のテーブルの内容では、第１のスイッチｓｗ１及び第２のスイッチｓｗ２共に、第１の入力信号線の端部Ａに接続するように指定されている。従って、Ｉ／Ｏコントローラ１１７は、第１のスイッチｓｗ１及び第２のスイッチｓｗ２を第１の入力信号線の端部Ａに接続することで、第１の入力信号線１１０ａを通じて入力される主音声のアナログ音声信号が第１の出力信号１１８ａ及び第２の出力信号１１８ｂに出力される。
【００３２】
また、リモコン１２０又は入力装置１２１から送信された二ヶ国語放送出力切替え要求の内容が、副音声出力要求である場合、Ｉ／Ｏコントローラ１１７は、チャネル制御テーブルにおいてスピーカからの［出力モード］の内容が「副音声モード」に対応する［ｓｗ１の状態］［ｓｗ２の状態］を参照し、第１のスイッチｓｗ１及び第２のスイッチｓｗ２を第２の入力信号線の端部Ｂに接続することで、第２の入力信号線１１０ｂを通じて入力される副音声のアナログ音声信号が第１の出力信号１１８ａ及び第２の出力信号１１８ｂに出力される。
【００３３】
また、リモコン１２０又は入力装置１２１から送信された二ヶ国語放送出力切替え要求の内容が、主音声＋副音声出力要求である場合、Ｉ／Ｏコントローラ１１７は、チャネル制御テーブルにおいてスピーカからの［出力モード］の内容が「主音声＋副音声モード」に対応する［ｓｗ１の状態］［ｓｗ２の状態］を参照し、第１のスイッチｓｗ１を第１の入力信号線の端部Ａに接続し、第２のスイッチｓｗ２を第２の入力信号線の端部Ｂに接続することで、第１の入力信号線１１０ａを通じて入力される主音声のアナログ音声信号が第１の出力信号１１８ｂに出力され、第２の入力信号線１１０ｂを通じて入力される副音声のアナログ音声信号が第２の出力信号１１８ｂに出力される。
【００３４】
また、リモコン１２０又は入力装置１２１から送信された二ヶ国語放送出力切替え要求の内容が、副音声＋主音声出力要求である場合、Ｉ／Ｏコントローラ１１７は、チャネル制御テーブルにおいてスピーカからの［出力モード］の内容が「副音声＋主音声モード」に対応する［ｓｗ１の状態］［ｓｗ２の状態］を参照し、第１のスイッチｓｗ１を第２の入力信号線の端部Ｂに接続し、第２のスイッチｓｗ２を第１の入力信号線の端部Ａに接続することで、第１の入力信号線１１０ａを通じて入力される主音声のアナログ音声信号が第２の出力信号１１８ｂに出力され、第２の入力信号線１１０ｂを通じて入力される副音声のアナログ音声信号が第１の出力信号１１８ａに出力される。
【００３５】
図４は、スピーカのチャネルから出力される音声データの切替え制御を示すフローチャートである。図５は、ステレオ放送を受信した場合におけるチャネルセレクタ１１８でのスイッチ切替え制御内容を示すテーブルである。図６は、モノラル放送を受信した場合におけるチャネルセレクタ１１８でのスイッチ切替え制御内容を示すテーブルである。図４に示すフローチャートを用いて、スピーカのチャネルから出力される、受信された放送番組データに係る音声データの切替え制御について説明する。
【００３６】
図１を用いて説明した音声多重デコーダ１０３は、ＴＶチューナ１０１から出力される音声信号に含まれるサブキャリア信号を検出し音声多重復調を行うことで取り出されるアナログ音声信号に基いて、放送モードを検知する（ステップ  Ｓ１）。例えば、音声多重デコーダ１０３において取り出されるアナログ音声信号基いて、二ヶ国語対応の放送、ステレオ放送、又はモノラル放送の何れの放送モードであるかを検知する。
【００３７】
検知された放送モードがステレオ放送の場合（ステップ  Ｓ２  ｙｅｓ）、図５に示すとおり、例えば、チャネルセレクタ１１８の第１のスイッチｓｗ１を第１の入力信号線の端部Ａに接続させ、第２のスイッチｓｗ２を第２の入力信号線の端部Ｂに接続（ステップ  Ｓ４）させることで、ステレオ放送を構成する２種類の音声信号を、夫々、スピーカの左右のチャネルから出力させる。
【００３８】
検知された放送モードがステレオ放送では無く（ステップ  Ｓ２  ｎｏ）、さらに、二ヶ国語対応の放送では無い場合（ステップ  Ｓ３  ｎｏ）、つまり、モノラル放送である場合、図６に示すとおり、例えば、チャネルセレクタ１１８の第１のスイッチｓｗ１を第１の入力信号線の端部Ａに接続させ、第２のスイッチｓｗ２を第２の入力信号線の端部Ｂに接続（ステップ  Ｓ４）させることで、モノラル放送を構成する１種類の音声信号を、スピーカの左右のチャネルから出力させる。
【００３９】
検知された放送モードがステレオ放送では無く（ステップ  Ｓ２  ｎｏ）、さらに、二ヶ国語対応の放送の場合（ステップ  Ｓ３  ｙｅｓ）、I／Ｏコントローラ１１７は、リモコン１２０又は入力装置１２１から送信された二ヶ国語放送出力切替え要求の内容に基いて、チャネルセレクタ１１８の第１のスイッチｓｗ１及び第２のスイッチｓｗ２の制御を行う。
【００４０】
二ヶ国語放送出力切替え要求の内容が、主音声（左チャネル）＋副音声（右チャネル）出力要求である場合（ステップ  Ｓ６  ｙｅｓ）、Ｉ／Ｏコントローラ１１７は、図３を用いて説明したチャネル制御テーブルにおいてスピーカからの［出力モード］の内容が「主音声＋副音声モード」に対応する［ｓｗ１の状態］［ｓｗ２の状態］を参照し、第１のスイッチｓｗ１を第１の入力信号線の端部Ａに接続し、第２のスイッチｓｗ２を第２の入力信号線の端部Ｂに接続する（ステップ  Ｓ４）。従って、第１の入力信号線１１０ａを通じて入力される主音声のアナログ音声信号が第１の出力信号１１８ｂに出力されることで、スピーカの左チャネルから出力され、第２の入力信号線１１０ｂを通じて入力される副音声のアナログ音声信号が第２の出力信号１１８ｂに出力されることで、スピーカの右チャネルから出力される。
【００４１】
二ヶ国語放送出力切替え要求の内容が、主音声（左チャネル）＋副音声（右チャネル）出力要求では無く（ステップ  Ｓ６  ｎｏ）、副音声（左チャネル）＋主音声（右チャネル）出力要求である場合（ステップ  Ｓ７  ｙｅｓ）、Ｉ／Ｏコントローラ１１７は、チャネル制御テーブルにおいてスピーカからの［出力モード］の内容が「副音声＋主音声モード」に対応する［ｓｗ１の状態］［ｓｗ２の状態］を参照し、第１のスイッチｓｗ１を第２の入力信号線の端部Ｂに接続し、第２のスイッチｓｗ２を第１の入力信号線の端部Ａに接続する（ステップ  Ｓ９）。従って、第２の入力信号線１１０ｂを通じて入力される副音声のアナログ音声信号が第１の出力信号１１８ａに出力されることで、スピーカの左チャネルから出力され、第１の入力信号線１１０ａを通じて入力される主音声のアナログ音声信号が第２の出力信号１１８ｂに出力されることで、スピーカの右チャネルから出力される。
【００４２】
二ヶ国語放送出力切替え要求の内容が、副音声（左チャネル）＋主音声（右チャネル）出力要求では無く（ステップ  Ｓ６  ｎｏ）、主音声（左チャネル）＋主音声（右チャネル）出力要求である場合（ステップ  Ｓ８  ｙｅｓ）、Ｉ／Ｏコントローラ１１７は、チャネル制御テーブルにおいてスピーカからの［出力モード］の内容が「主音声モード」に対応する［ｓｗ１の状態］［ｓｗ２の状態］を参照し、第１のスイッチｓｗ１及び第２のスイッチｓｗ２共に、第１の入力信号線の端部Ａに接続する（ステップ  Ｓ１０）。従って、第１の入力信号線１１０ａを通じて入力される主音声のアナログ音声信号は、第１の出力信号１１８ｂに出力されることでスピーカの左チャネルから出力され、第１の入力信号線１１０ａを通じて入力される主音声のアナログ音声信号は、第２の出力信号１１８ｂに出力されることでスピーカの右チャネルから出力される。
【００４３】
二ヶ国語放送出力切替え要求の内容が、主音声（左チャネル）＋主音声（右チャネル）出力要求でも無い場合（ステップ  Ｓ８  ｎｏ）、つまり、副音声（左チャネル）＋副音声（右チャネル）出力要求である場合、Ｉ／Ｏコントローラ１１７は、チャネル制御テーブルにおいてスピーカからの［出力モード］の内容が「副音声モード」に対応する［ｓｗ１の状態］［ｓｗ２の状態］を参照し、第１のスイッチｓｗ１及び第２のスイッチｓｗ２共に、第１の入力信号線の端部Ｂに接続する（ステップ  Ｓ１１）。従って、第２の入力信号線１１０ｂを通じて入力される副音声のアナログ音声信号は、第１の出力信号１１８ａに出力されることでスピーカの左チャネルから出力され、第２の入力信号線１１０ｂを通じて入力される副音声のアナログ音声信号は、第２の出力信号１１８ｂに出力されることでスピーカの右チャネルから出力される。
【００４４】
以上、説明したとおり、リモコン１２０又は入力装置１２１から送信された二ヶ国語放送出力切替え要求の内容に基いて、チャネルセレクタ１１８がスピーカの左チャネル及び右チャネルから出力される音を切替えることで、ユーザの体勢に適応したスピーカからの音の出力を確保することが可能となる。
【００４５】
図７には、本発明に係る録画再生ビデオ装置のハードウェアブロック図の第２の例が示されている。図７に示される録画再生ビデオ装置のハードウェアブロック図は、図１を用いて説明したハードウェアブロック図の構成の一部と共通する。そこで、図１を用いて説明したハードウェアブロック図の構成と異なる構成部分の説明を以下に行う。
【００４６】
ＡＶ１０内のＭＰＥＧデコーダ１０７で生成されたデジタル音声信号は、デジタルオーディオフォーマット変換部１２２へ入力される。デジタルオーディオフォーマット変換部１２２は、ＭＰＥＧデコーダ１０７から出力されたデジタル音声信号のフォーマットを変換する。例えば、ＭＰＥＧデコーダ１０７からデジタル音声信号がシリアルに出力されている場合、このシリアル形式のデジタル音声信号のフォーマットを変換する。デジタルオーディオフォーマット変換部１２２によってフォーマット変換されることで生成されたデジタル音声信号のフォーマットもシリアル形式である。デジタルオーディオフォーマット変換部１２２で行われるフォーマット変換は、Ｉ／Ｏコントローラ１１７から出力される制御信号に基づいて行われる。このＩ／Ｏコントローラ１１７から出力される制御信号に基づいて行われるフォーマット変換の内容は、後述をもって詳細に説明する。
【００４７】
フォーマット変換部１２２で生成されたシリアル形式のデジタル音声信号は、光ケーブル１２４を介して、スピーカ（図示せず）へと出力される。このスピーカは、デジタルオーディオフォーマット変換部１２２で変換されたシリアル形式のデジタル音声信号のフォーマットに対応しており、シリアル形式のデジタル音声信号のフォーマットに従って、左チャネル及び右チャネルから夫々デジタル音声信号に係る音を出力する。次に、図８を用いて、Ｉ／Ｏコントローラ１１７から出力される制御信号に基いて行われるフォーマット変換の内容を説明する。
【００４８】
図８には、ＭＰＥＧデコーダ１０７から出力されたデジタル音声信号のフォーマットを変換する際に参照されるテーブルが示される。
【００４９】
デジタルオーディオフォーマット変換部１２２は、リモコン１２０又は入力装置１２１から送信された二ヶ国語放送出力切替え要求の内容に基いてＩ／Ｏコントローラ１１７から出力される制御信号に従って、図８に示されるテーブルの［出力モード］に対応づけられた［フォーマットタイプ］を参照し、ＭＰＥＧデコーダ１０７から出力されたデジタル音声信号のフォーマット変換を行う。このフォーマットの変換とは、ＭＰＥＧデコーダ１０７から出力されたデジタル音声信号の順番を入れ替えるという変換である。
【００５０】
上述したフォーマット変換の内容に従って、フォーマット変換部１２２は、例えば、リモコン１２０又は入力装置１２１から送信された二ヶ国語放送出力切替え要求の内容が「主音声（左チャネル）＋主音声（右チャネル）出力要求」である場合、この要求内容に対応するＩ／Ｏコントローラ１１７から出力される制御信号に基いて、［出力モード］の内容が「主音声＋主音声モード」に対応する［フォーマットタイプ］を参照し、スピーカの左チャネルから出力される音に係るデジタル音声信号（主音声）を先に送信し、その後、スピーカの右チャネルから出力される音に係るデジタル音声信号（主音声）を送信する内容のフォーマット「タイプ１」へと変換する。
【００５１】
以上、説明したとおり、リモコン１２０又は入力装置１２１から送信された二ヶ国語放送出力切替え要求の内容に基いて、フォーマット変換部１２２がＭＰＥＧデコーダ１０７から出力されたデジタル音声信号のフォーマットを例えばパレレル形式からシリアル形式に変換し、該フォーマットに対応したスピーカの左チャネル及び右チャネルから出力される音を切替えることで、ユーザの体勢に適応したスピーカからの音の出力を確保することが可能となる。
【００５２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５３】
【図１】本発明に係る録画再生ビデオ装置のハードウェアブロックの第１の例を示す図。
【図２】チャネルセレクタの回路構成の一例を示す図。
【図３】第１のスイッチ及び第２のスイッチの切替え制御を示す図。
【図４】スピーカのチャネルから出力される音声の切替え制御を示すフローチャート。
【図５】ステレオ放送を受信した場合におけるチャネルセレクタでのスイッチ切換え制御内容を示すテーブル。
【図６】モノラル放送を受信した場合におけるチャネルセレクタでのスイッチ切換え制御内容を示すテーブル。
【図７】本発明に係る録画再生ビデオ装置のハードウェアブロック図の第２の例。
【図８】デジタル音声信号のフォーマットを変換する際に参照されるテーブル。
【符号の説明】
【００５４】
１…録画再生ビデオ装置、１０…ＡＶ部、１１…システム部、
１０１…ＴＶチューナ、１０２…ＮＴＳＣデコーダ、
１０３…音声多重デコーダ、１０４…オーディオＡＤＣ、
１０５…ＭＰＥＧエンコーダ、１０６…ストリーム制御部、
１０７…ＭＰＥＧデコーダ、１０８…ＮＴＳＣエンコーダ、
１０９…ビデオアンプ、１１０…オーディオＤＡＣ、
１１１…オーディオアンプ、１１２…ＰＣＩインターフェイス、
１１３…ＣＰＵ、１１４…メインメモリ、１１５…表示装置、
１１６…ＨＤＤ、１１７…Ｉ／Ｏコントローラ、１１８…チャネルセレクタ、 １１９…リモコンコントローラ、１２０…リモコンユニット、
１２１…入力装置、１２２…バス、１２３…フォーマット変換部、
【図１】
2005110046.tif 000003
【図２】
2005110046.tif 000004
【図３】
2005110046.tif 000005
【図４】
2005110046.tif 000006
【図５】
2005110046.tif 000007
【図６】
2005110046.tif 000008
【図７】
2005110046.tif 000009
【図８】
2005110046.tif 000010